(57)【要約】      （修正有）【課題】印鑑を使用途中で机面上においたり、使用後に印鑑ケース内に収納したりするときに、机面や印鑑ケース内を汚さないようにするのに適した印鑑を提供する。【解決手段】印鑑１０は、文字が彫刻された印面１２と、印面の外周縁から後方に延びる円筒状部１４と、円筒状部の後端から半径方向外側に延びる環状の段面１６と、段面１６から後方に延び、後方に向かうに従って次第に直径が増大するテーパ部１８と、テーパ部１８から後方に延びる本体２０とを有する。印鑑はまた、印面１２側から印鑑に被せるシリコンゴム製のキャップ３０を有する。このキャップ３０は、印鑑に被せられた状態において、印面１２に近接した位置とされる頂壁３２と、頂壁３２の外周縁から延び、印鑑の円筒状部１４及びテーパ部１８の外側周囲を通り、本体２０の外周面に係合する円筒壁部３４とを有している。【選択図】図１
2015089663.tif 000002
【特許請求の範囲】
【請求項１】
文字が彫刻された印面と、
該印面の外周縁から後方に延びる円筒状部と、
該円筒状部の後端から半径方向外側に延びる環状の段面と、
該段面から後方に延び、後方に向かうに従って次第に直径が増大するテーパ部と、
該テーパ部から後方に延びる本体と、
を備える印鑑。
【請求項２】
該本体は、少なくとも該テーパ部に続く部分が円筒状とされている請求項１に記載の印鑑。
【請求項３】
該本体における少なくとも該テーパ部に続く部分が、該印面の直径より１．５ｍｍ大きい直径とされている請求項２に記載の印鑑。
【請求項４】
該本体の全体が均一直径の円筒状とされ、後端面が、該本体の中心軸線に対して直交する平らな面とされている請求項１乃至３のいずれか一項に記載の印鑑。
【請求項５】
該本体が、当該印鑑が水平な机面上に横にして置かれたときに当該印面の天地が机面に対して一定の向きとなるようにする重心を有するようにされている請求項１乃至４のいずれか一項に記載の印鑑。
【請求項６】
該印面側から該印鑑に被せるシリコンゴム製のキャップを有し、
該キャップが、
該印鑑に取り付けられた状態において、該印面に近接した位置とされる頂壁と、
該頂壁の外周縁から延び、該印鑑の該円筒状部及び該テーパ部の外側周囲を通り、該本体の外周面に係合する円筒壁部とを有している
請求項１乃至５のいずれか一項に記載の印鑑。
【請求項７】
該キャップが、該円筒壁部の内周面に、該キャップ内に挿入される当該印鑑の該段面と係合して、該印鑑が該キャップ内に入りすぎないようにする環状の係止面と、該係止面から該頂壁まで延びて、当該印鑑の該円筒状部の外周面に近接する内周面を有する肉厚部と、該係止面から該頂壁に向けて延びるように該肉厚部に設けられた溝とを有する請求項６に記載の印鑑。
【発明の詳細な説明】
【技術分野】
【０００１】
本発明は印鑑に関する。
【背景技術】
【０００２】
印鑑は全体として棒状とされその先端に文字が彫刻された印面を有する。複数の書類に押印する場合には、押印する書類を用意したりするために、使用している印鑑を手から離して机面上に置く必要が生じることもあるが、一度使用した印面には朱肉インクが付着しているために、その印鑑を横向きにして置くと、机面やその上にある書類を汚してしまう虞がある。
【０００３】
このような朱肉インクによる汚れを防ぐために、印面よりも後側（手元側）位置に印面よりも大きな直径を有するフランジなどを設け、印鑑が横向きにおかれても印面が机面から浮いた状態となるようにするなどの工夫がなされている（例えば特許文献１乃至４を参照）。
【０００４】
また、使用した印鑑を印鑑ケースに収納する場合も、印面に付着した朱肉インクをきれいに拭き取らなければ、印鑑ケース内を汚してしまう虞がある。
【先行技術文献】
【特許文献】
【０００５】
【特許文献１】特開平１０‐１２９０９６号
【特許文献２】実用新案登録第３１４４１３２号
【特許文献３】実開昭５５‐１６３１６３号
【特許文献４】意匠登録第０３２０５２８号
【発明の概要】
【発明が解決しようとする課題】
【０００６】
本発明は、以上のような点に鑑み、印鑑を使用途中で机面上においたり、また、使用後に印鑑ケース内に収納したりするときに、机面や印鑑ケース内を汚さないようにするのに適した印鑑を提供することを目的としている。
【課題を解決するための手段】
【０００７】
すなわち、本発明は
文字が彫刻された印面と、
該印面の外周縁から後方に延びる円筒状部と、
該円筒状部の後端から半径方向外側に延びる環状の段面と、
該段面から後方に延び、後方に向かうに従って次第に直径が増大するテーパ部と、
該テーパ部から後方に延びる本体と、
を備える印鑑を提供する。
【０００８】
この印鑑では、本体の直径が印面の直径よりも大きく、従って、使用中の印鑑を机面上に横にして置いても印面は机上やその上の書類から浮いた状態となり、机面や書類を汚すことを防ぐことができる。また、印面から後方に延びる円筒状部に続いてテーパ部を設けているので、後述する筒状のキャップを印面の側から印鑑に被せる場合に、テーパ部が当該キャップを本体までガイドし、当該キャップの装着を容易に行うことが可能となる。
【０００９】
具体的には、本体は、少なくともテーパ部に続く部分が円筒状とされるようにすることが好ましい。
【００１０】
上述した如きキャップを印鑑に被せた場合に、該キャップが該円筒状にされた本体の部分と係合してしっかりと保持されるようにするものである。
【００１１】
この場合、本体における前記少なくともテーパ部に続く部分は、該印面の直径より１．５ｍｍ大きい直径とすることが好ましい。
【００１２】
通常の規格としては、印面の直径は１０．５ｍｍから１．５ｍｍ毎に直径を大きなものとして１８ｍｍのものまでがある。例えば印面の直径を１０．５ｍｍとした場合、この印面から続く円筒状部は印面と同じ１０．５ｍｍ直径となり、本体におけるテーパ部に続く部分は１２．０ｍｍとされる。従って、上述したキャップを、本体におけるテーパ部に続く部分の直径と同じ内径（１２．０ｍｍ）のものとして用意すれば、そのキャップは、本体におけるテーパ部に続く部分が１２．０ｍｍ直径を有する印鑑に使用することも、また、その印鑑よりも上記規格で１つ上の大きさの印鑑（すなわち、印面の直径が１２．０ｍｍ）にも使用することが可能となる。すなわち、その大きい方の印鑑に当該キャップを使用する場合には、該キャップの内径と同じ１２．０ｍｍ直径を有する円筒状部に装着して使用することが可能となる。
【００１３】
より具体的には、本体の全体が均一直径の円筒状とされ、後端面が、該本体の中心軸線に対して直交する平らな面とすることができる。
【００１４】
すなわち、このようにすることにより上記後端面を机面に当接し、当該印鑑を縦にしておくことが可能となる。
【００１５】
上述の印鑑においては、該本体が、当該印鑑が水平な机面上に横にして置かれたときに当該印面の天地（上下）が机面に対して一定の向きとなるようにする重心を有するようにすることが好ましい。
【００１６】
例えば、当該印鑑の印面に「佐藤」という名字が上下に配置されている場合、「佐」が常に「藤」の上に位置に来るようにすれば、机面等の上に横にして置いた印鑑を手で上から持ち上げるだけで印面の天地を確認する必要が無く押印することが可能となる。
【００１７】
本発明に係る印鑑は、更に、
印面側から該印鑑に被せるシリコンゴム製のキャップを有し、
該キャップが、該印鑑に取り付けられた状態において、該印面に近接した位置とされる頂壁と、該頂壁の外周縁から延び、該印鑑の該円筒状部及び該テーパ部の外側周囲を通り、該本体の外周面に係合する円筒壁部とを有するようにすることができる。
【００１８】
このようなキャップを用意することにより、このキャップを、印鑑を机面上に置いたりする場合に当該印鑑に装着して、印面による汚れを防ぐと共に、印鑑を使用した後に、印鑑ケースにしまう場合、当該キャップを印鑑に装着して印鑑ケースに収納することにより、印鑑ケース内部を汚すことを防ぐことができる。また、キャップをシリコンゴム製とすることにより、印鑑に対し「しまりばめ」となる当該キャップの公差を大きくすることができる。
【００１９】
具体的には、キャップは、その円筒壁部の内周面に、該キャップ内に挿入される当該印鑑の該段面と係合して、該印鑑が該キャップ内に入りすぎないようにする環状の係止面と、該係止面から該頂壁まで延びて、当該印鑑の該円筒状部の外周面に近接する内周面を有する肉厚部と、該係止面から該頂壁に向けて延びるように該肉厚部に設けられた溝とを設けるようにすることができる。
【００２０】
溝は印鑑をその印面側からキャップ内に挿入したときに当該キャップの頂壁側から空気が抜け出てくるのを可能にして、印鑑の挿入をしやすくする。
【００２１】
以下、本発明に係る穿孔機の実施形態を添付図面に基づき説明する。
【図面の簡単な説明】
【００２２】
【図１】本発明に係る印鑑及び該印鑑に装着されるキャップを示す図であり、印鑑は側面図で、キャップは一部断面側面図で示してある。
【発明を実施するための形態】
【００２３】
本発明に係る印鑑１０は、その先端の印面１２から後方に延びる円筒状部１４と、該円筒状部１４の後端から半径方向外側に延びる環状の段面１６と、該段面１６から後方に延び、後方に向かうに従って次第に直径が増大するテーパ部１８と、該テーパ部から後方に延びる本体２０とを備える。本体２０は、少なくともテーパ部１８に続く少なくとも３ｍｍの部分２０ａが円筒状とされるが、図示の例では本体２０全体が均一の直径の円筒状とされており、その後端面２０ｂは、当該円筒状の本体の中心軸線に対し直交する平面とされている。また、本体２０は、当該印鑑１０が水平な机面上に横にして置かれたときに印面１２の天地（上下）が机面に対して一定の向きとなるようにする重心を有するようにすることが好ましい。本体２０が円柱状のものである場合には、印面１２の天地に合わせて、当該本体の横断面の下半分を重く上半分を軽くなるようにして重心を下半分に来るようにする。このようにすることにより、机面上に置かれた印鑑１０の印面１２の天地は常に机面に対して上下を向くようになり、印鑑を持ち上げるだけで、印面の天地を確認することなく押印することが可能となる。但し、必ずしも印面の天地が上下を向くようにする必要はなく、その逆にしたり、横向きになるように重心を設定することができる。
【００２４】
本体におけるテーパ部１８に続く部分２０ａは、該印面１２の直径より１．５ｍｍ大きい直径とすることが好ましい。通常の規格としては、印面１２の直径は１０．５ｍｍ、１２.０ｍｍ、１３．５ｍｍ、１５．０ｍｍ、１６．５ｍｍ、１８．０ｍｍの１．５ｍｍ毎の直径とされる。印面１２から続く円筒状部１４は印面１２と同じ直径であり、上記本体におけるテーパ部１８に続く部分２０ａは、上記各規格直径に対応してそれぞれ、１２.０ｍｍ、１３．５ｍｍ、１５．０ｍｍ、１６．５ｍｍ、１８．０ｍｍ、１９．５ｍｍとされることが好ましい。
【００２５】
図示の実施形態では、円筒状部１４は約５ｍｍ、テーパ部１８は約５〜７ｍｍの長さとされ、段面１６は円筒状部１４よりも直径が約１ｍｍ大きくされている。
【００２６】
キャップ３０は、該キャップ３０が、当該印鑑１０に印面１２側から被せられて取り付けられた状態において、印面１２に近接した位置とされる頂壁３２と、該頂壁３２の外周縁から延び、印鑑１０の円筒状部１４及びテーパ部１８の外側周囲を通り、印鑑の本体２０の上記円筒状の部分２０ａの外周面に係合する円筒壁部３４とを有する。
【００２７】
具体的には、キャップ３０はシリコンゴム製で、円筒壁部３４は、印鑑の本体２０の円筒状の部分２０ａの外周面と略同じ直径の内周面を有し、円筒状の部分２０ａにしまり嵌めするようにされた薄肉部３４ａと、係止面３４ｂと、該係止面３４ｂから頂壁３２まで延びる肉厚部３４ｃとを有している。係止面３４ｂは、キャップ３０が印鑑１０の先端から被せられて、薄肉部３４ａの開口周縁部分３４ａ−１が、印鑑の本体２０の円筒状の部分２０ａの外周面に嵌め合わされたときに、印鑑１０の段面１６と係合して印鑑１０が更にキャップ３０内に入るのを阻止する。肉厚部３４ｃは、係止面３４ｂから頂壁３２まで延びる複数の溝３４ｄを有している。この溝３４ｄは印鑑１０をその印面１２側からキャップ３０内に挿入したときに当該キャップ３０の頂壁３２側から空気が抜け出てくるのを可能にして、印鑑の挿入をしやすくする。頂壁３２の内面３２ａには、その中央に係止突起３２ｂが設けられており、印鑑１０にキャップ３０が被せられたときに、印面１２が頂壁３２の内面３２ａに全面で接触するのを阻止するようになっている。
【００２８】
以上、本発明に係る印鑑の実施形態を説明したが、本願発明はこれに限定されるものではない。例えば、印鑑の本体２０は、キャップ３０が係合される部分２０を円筒状とするほかは、任意の形状とすることができる。
【符号の説明】
【００２９】
１０：印鑑
１２：印面
１４：円筒状部
１６：段面
１８：テーパ部
２０：本体
２０ａ：本体のテーパに続く部分
２０ｂ：後端面
３０：キャップ
３２：頂壁
３２ａ：内面
３２ｂ：係止突起
３４：円筒壁部
３４ａ：薄肉部
３４ａ−１：開口周縁部分
３４ｂ：係止面
３４ｃ：肉厚部
３４ｄ：溝
【図１】
2015089663.tif 000003